【手続補正書】
【提出日】令和3年2月2日(2021.2.2)
【手続補正１】
【補正対象書類名】特許請求の範囲
【補正対象項目名】全文
【補正方法】変更
【補正の内容】
【特許請求の範囲】
【請求項１】
シーンを描写するビデオ画像ストリーム内の輝度変動を低減するための方法（２０）であって、
第１のセンサ設定に設定された画像センサ（３０２）を使用して、前記ビデオ画像ストリームの第１のフレーム（５０）を取得する（Ｓ２０２）ことであって、前記第１のセンサ設定は、センサ露光時間およびセンサ利得を含む群から選択される１つまたは複数のセンサ設定である、前記ビデオ画像ストリームの第１のフレーム（５０）を取得する（Ｓ２０２）こと、
前記第１のフレーム（５０）の部分（５９０）内の輝度値の局所変化を、前記第１のフレームに先行するフレームと比較して検出する（Ｓ２０４）ことであって、前記第１のフレームに先行する前記フレームは前記第１のセンサ設定に設定された前記画像センサ（３０２）を使用して取得され、前記第１のフレーム（５０）の前記部分（５９０）は前記シーンの第１のエリアを示す、輝度値の局所変化を検出する（Ｓ２０４）こと、
前記第１のフレーム（５０）内の前記輝度値に基づいて第２のセンサ設定を決定する（Ｓ２０６）ことであって、前記第２のセンサ設定は、前記センサ露光時間および前記センサ利得を含む群から選択される前記１つまたは複数のセンサ設定である、第２のセンサ設定を決定する（Ｓ２０６）こと、
前記第２のセンサ設定に設定された前記画像センサ（３０２）を使用して、前記ビデオ画像ストリームの第２のフレーム（６０，７０）を取得する（Ｓ２０８）ことであって、前記第２のフレーム（６０，７０）は前記第１のフレーム（５０）に続く、前記ビデオ画像ストリームの第２のフレーム（６０，７０）を取得する（Ｓ２０８）こと、
画像のトーンマッピングに関係する情報を含む画像マスクである局所トーンマッピングマスクを作成する（Ｓ２１０）ことであって、前記シーンの前記第１のエリア内の前記局所トーンマッピングマスクの局所トーンマッピングは、前記シーンの前記第１のエリアの外のエリア内の前記局所トーンマッピングマスクの局所トーンマッピングと異なり、前記シーンの前記第１のエリア内の前記局所トーンマッピングは前記第２のセンサ設定に基づき、前記シーンの前記第１のエリアの外の前記エリア内の前記局所トーンマッピングは、前記第１のセンサ設定と前記第２のセンサ設定との間の関係に基づく、局所トーンマッピングマスクを作成する（Ｓ２１０）こと、および、
前記局所トーンマッピングマスクを前記ビデオ画像ストリームの前記第２のフレーム（６０，７０）に適用する（Ｓ２１２）こと
を含む、方法（２０）。
【請求項２】
前記第２のセンサ設定は、前記第１のセンサ設定に関するセンサ露光時間および／またはセンサ利得の調整である、請求項１に記載の方法（２０）。
【請求項３】
前記第１のセンサ設定と前記第２のセンサ設定との間の前記関係は前記第１のセンサ設定と前記第２のセンサ設定との間の比である、請求項１または２に記載の方法（２０）。
【請求項４】
前記局所トーンマッピングマスクは前記第１のエリアと前記第１のエリアの外の前記エリアとの間の徐々な移行をさらに含む、請求項１〜３のいずれか一項に記載の方法（２０）。
【請求項５】
前記第２のフレーム（６０，７０）に続くフレームについて、前記局所トーンマッピングマスクを所定の局所トーンマッピングマスクを目指して徐々に調整することをさらに含む、請求項１〜４のいずれか一項に記載の方法（２０）。
【請求項６】
前記第１のセンサ設定に設定された前記画像センサ（３０２）を使用して、前記ビデオ画像ストリームの中間フレームを取得する（Ｓ２１８）ことであって、前記中間フレームは前記第１のフレーム（５０）に続きかつ前記第２のフレーム（６０，７０）に先行する、前記ビデオ画像ストリームの中間フレームを取得する（Ｓ２１８）こと、
前記中間フレームのさらなる部分内の輝度値のさらなる局所変化を、前記中間フレームに先行するフレームと比較して検出する（Ｓ２２０）ことであって、前記中間フレームに先行する前記フレームは前記第１のセンサ設定に設定された前記画像センサ（３０２）を使用して取得され、前記中間フレームの前記さらなる部分は前記シーンのさらなるエリアを示す、輝度値のさらなる局所変化を検出する（Ｓ２２０）こと、
前記中間フレーム内の前記輝度値に基づいて第３のセンサ設定を決定する（Ｓ２２２）ことであって、前記第３のセンサ設定は、前記センサ露光時間および前記センサ利得を含む群から選択される１つまたは複数のセンサ設定である、第３のセンサ設定を決定する（Ｓ２２２）こと、
前記第３のセンサ設定に設定された前記画像センサ（３０２）を使用して、前記ビデオ画像ストリームの第３のフレームを取得する（Ｓ２２４）ことであって、前記第３のフレームは前記第２のフレーム（６０，７０）に続く、前記ビデオ画像ストリームの第３のフレームを取得する（Ｓ２２４）こと、
画像のトーンマッピングに関係する情報を含む画像マスクであるさらなる局所トーンマッピングマスクを作成する（Ｓ２２６）ことであって、前記シーンの前記第１のエリアおよび前記シーンの前記さらなるエリア内の局所トーンマッピングは、前記シーンの前記第１のエリアおよび前記シーンの前記さらなるエリアの外のエリアと異なり、前記シーンの前記第１のエリアおよび前記シーンの前記さらなるエリア内の前記局所トーンマッピングは前記第３のセンサ設定に基づき、前記シーンの前記第１のエリアおよび前記シーンの前記さらなるエリアの外の前記エリア内の局所トーンマッピングは、前記第１のセンサ設定と前記第３のセンサ設定との間の関係に基づく、さらなる局所トーンマッピングマスクを作成する（Ｓ２２６）こと、および、
前記さらなる局所トーンマッピングマスクを前記ビデオ画像ストリームの前記第３のフレームに適用する（Ｓ２２８）こと
をさらに含む、請求項１〜５のいずれか一項に記載の方法（２０）。
【請求項７】
シーンを描写するビデオ画像ストリームを取得するためのデジタルビデオカメラ（３０）であって、
異なるセンサ設定に設定され、前記ビデオ画像ストリームの異なるフレームを取得するように構成される画像センサ（３０２）であって、前記センサ設定は、センサ露光時間およびセンサ利得を含む群から選択される１つまたは複数のセンサ設定である、画像センサ（３０２）と、
制御回路要素（３０４）と
を備え、前記制御回路要素（３０４）は、
第１のフレーム（５０）の部分（５９０）内の輝度値の局所変化を、前記第１のフレームに先行するフレームと比較して検出するように構成される輝度評価機能（３０６）であって、前記第１のフレームおよび前記第１のフレームに先行する前記フレームは第１のセンサ設定に設定された前記画像センサ（３０２）によって取得され、前記第１のフレーム（５０）の前記部分（５９０）は前記シーンの第１のエリアを示す、輝度評価機能（３０６）、
前記第１のフレーム内の前記輝度値に基づいて第２のセンサ設定を決定するように構成されるセンサ設計決定機能（３０８）、および、
局所トーンマッピングマスク機能（３１０）
を備え、前記局所トーンマッピングマスク機能（３１０）は、画像のトーンマッピングに関係する情報を含む画像マスクである局所トーンマッピングマスクを作成するように構成され、前記シーンの前記第１のエリア内の前記局所トーンマッピングマスクの局所トーンマッピングは、前記シーンの前記第１のエリアの外のエリア内の前記局所トーンマッピングマスクの局所トーンマッピングと異なり、前記シーンの前記第１のエリア内の前記局所トーンマッピングは前記第２のセンサ設定に基づき、前記シーンの前記第１のエリアの外の前記エリア内の前記局所トーンマッピングは、前記第１のセンサ設定と前記第２のセンサ設定との間の関係に基づき、前記局所トーンマッピングマスク機能（３１０）は、前記局所トーンマッピングマスクを、前記第２のセンサ設定に設定された前記画像センサ（３０２）によって取得される第２のフレーム（６０，７０）に適用するように構成される、デジタルビデオカメラ（３０）。
【請求項８】
前記画像センサ（３０２）および制御回路要素（３０４）は、フレームレベルで同期する、請求項７に記載のデジタルビデオカメラ（３０）。
【請求項９】
制御回路要素（３０４）の機能は、汎用プロセッサ上で、あるいは、グラフィクス処理ユニット、フィールドプログラマブルゲートアレイ、固定機能特定用途向け集積回路、またはアナログ回路上で実行されるコンピュータソフトウェア部分として実装される、請求項７または８に記載のデジタルビデオカメラ（３０）。
【請求項１０】
非一時的コンピュータ可読記録媒体であって、プログラムコードを非一時的コンピュータ可読記録媒体上に記録されており、前記プログラムコードは、処理能力を有するデバイスにおいて実行されると、請求項１〜６にいずれか一項に記載の方法（２０）を実施するように構成される、非一時的コンピュータ可読記録媒体。